【事件の表示】
　平成１０年特許願第５０９２７１号「電気機器のプログラミング方法およびプログラミングのための挿入カード」拒絶査定不服審判事件〔平成１０年　２月１９日国際公開、ＷＯ９８／０７１２１、平成１３年　１月２３日国内公表、特表２００１−５００９９８〕について、次のとおり審決する。
【結　論】
　本件審判の請求は、成り立たない。
【理　由】
第１．手続の経緯
　
　本願は、１９９７年６月２８日（パリ条約による優先権主張外国庁受理１９９６年８月９日、独国）を国際出願日とする出願であって、平成１８年２月２２日付けで拒絶理由が通知され、同年８月２８日付けで手続補正がなされ、同年１０月６日付けで最後の拒絶理由が通知され、平成１９年４月１７日付けで手続補正がなされたものの、同年６月４日付けで拒絶査定がなされた。これに対して、同年９月１０日に拒絶査定不服の審判請求がなされ、同年１０月２日付けで手続補正がなされ、平成２１年１２月１１日付けで当審から発せられた審尋に対して、平成２２年４月１６日付けで回答書が提出されたものである。
　
第２．平成１９年１０月２日付けの手続補正について却下の決定
　
［補正却下の決定の結論］
　
　平成１９年１０月２日付けの手続補正を却下する。
　
［理由］
１．本件補正
　
　平成１９年１０月２日付けの手続補正（以下、「本件補正」という。）により、特許請求の範囲は、
　
「１．ＣＰＵを搭載したＩＣカードであるスマートカード用の収容および読み出しユニット（９）と、プログラム可能メモリ（７）とを有する電気機器のプログラミング方法であって、
　前記メモリ（７）にはマイクロプロセッサ（６）により処理されるソフトウェアがファイルされている形式の方法において、
　ａ）スマートカードに準拠する挿入カード（１１）が、電気機器の収容および読み出しユニット（９）に挿入されたことがプロセッサにより検出され、
　ｂ）前記挿入カード（１１）と前記収容および読み出しユニット（９）との間の電気接続が、前記挿入カードの第１の接点を介して行われ、
　ｃ）前記挿入カード（１１）と外部大容量メモリとの間の接続が、前記挿入カードの別の接点（１２）を介して行われ、ここで前記外部大容量メモリは伝送すべきデータを含んでおり、
　ｄ）マイクロプロセッサ（６）がプログラムを書き換えるためのロードルーチンを呼び出し、これにより該ロードルーチンが前記マイクロプロセッサにより実行され、
　該ロードルーチンにより、該外部大容量メモリからのデータが挿入カードを介して機器（５）のプログラム可能メモリ（７）にロードされる、
ことを特徴とする方法。
２．　ロードルーチン（８）は、プログラム可能メモリ（７）の部分的または全体的上書きを可能にする、請求項１記載の電気機器のプログラミング方法。
３．　ロードルーチンの実行は前記挿入カード（１１）の挿入を検出することによって開始される、請求項１または２記載の電気機器のプログラミング方法。
４．　ロードルーチンの実行はユーザ入力の検出によって開始される、請求項１または２記載の電気機器のプログラミング方法。
５．ロードルーチンの実行は、挿入カード（１１）を挿入する前にコードカードの使用を検出し、それから挿入カードの挿入を検出することによって開始される、請求項１または２記載の電気機器のプログラミング方法。
６．機器のメモリ領域（８）には前記ロードルーチンがファイルされている、請求項１から５までのいずれか１項記載の電気機器のプログラミング方法。　　
７．ＣＰＵを搭載したＩＣカードであるスマートカードの接点と接続を形成するための収容および読み出しユニット（９）と、マイクロプロセッサ（６）と、プログラム可能メモリ（７）とを有する電気機器をプログラミングするための挿入カードにおいて、
　挿入カード（１１）は前記スマートカードに準拠しており、
　該挿入カードは付加的接点（１２）を介して、伝送すべきデータを含んだ外部大容量メモリ（１４）との接続を行い、
　当該挿入カードが挿入されたことが検出されると、前記マイクロプロセッサ（６）がプログラムを書き換えるためのロードルーチンを呼び出し、実行し、
　該ロードルーチンにより、該外部大容量メモリからのデータが挿入カードを介して機器（５）のプログラム可能メモリ（７）にロードされるように構成されている、
ことを特徴とする挿入カード。
８．挿入カード（１１）はオプションとして、メモリ素子（２，６）、ＡＳＩＣ、マイクロプロセッサを有する、請求項７記載の挿入カード。」（以下、補正前の請求項」という。）
　
から
　
「【請求項１】　ＣＰＵを搭載したＩＣカードであるスマートカード用の収容および読み出しユニット（９）と、プログラム可能メモリ（７）とを有する電気機器（５）のプログラミング方法であって、
　前記プログラム可能メモリ（７）にはマイクロプロセッサ（６）により処理されるソフトウェアがファイルされている形式の方法において、
　ａ）スマートカードに準拠する挿入カード（１１）を挿入する前に、コードカードの使用を前記マイクロプロセッサ（６）により検出し、
　該コードカードは、前記電気機器をプログラミングするためのユーザ権限を伝送し、
　ｂ）スマートカードに準拠する前記挿入カード（１１）が、前記電気機器の収容および読み出しユニット（９）に挿入されたことが前記マイクロプロセッサにより検出され、
　ｃ）前記挿入カード（１１）と前記収容および読み出しユニット（９）との間の電気接続が、前記挿入カードの第１の接点を介して行われ、
　ｄ）前記挿入カード（１１）と外部大容量メモリとの間の接続が、前記挿入カードの別の接点（１２）を介して行われ、ここで前記外部大容量メモリは伝送すべきデータを含んでおり、
　ｅ）前記マイクロプロセッサ（６）がプログラムを書き換えるためのロードルーチンを呼び出し、これにより該ロードルーチンが前記マイクロプロセッサにより実行され、
　該ロードルーチンにより、該外部大容量メモリからのデータが挿入カードを介して前記電気機器（５）のプログラム可能メモリ（７）にロードされる、
ことを特徴とする方法。
　　【請求項２】　前記ロードルーチン（８）は、前記プログラム可能メモリ（７）の部分的または全体的上書きを可能にする、請求項１記載の電気機器のプログラミング方法。
　　【請求項３】　前記ロードルーチンの実行は前記挿入カード（１１）の挿入を検出することによって開始される、請求項１または２記載の電気機器のプログラミング方法。
　　【請求項４】　前記ロードルーチンの実行はユーザ入力の検出によって開始される、請求項１または２記載の電気機器のプログラミング方法。
　　【請求項５】　当該電気機器のメモリ領域（８）には前記ロードルーチンがファイルされている、請求項１から４までのいずれか１項記載の電気機器のプログラミング方法。
　　【請求項６】　ＣＰＵを搭載したＩＣカードであるスマートカードの接点と接続を形成するための収容および読み出しユニット（９）と、マイクロプロセッサ（６）と、プログラム可能メモリ（７）とを有する電気機器をプログラミングするための挿入カードにおいて、
　前記挿入カード（１１）は前記スマートカードに準拠しており、
　該挿入カードは付加的接点（１２）を介して、伝送すべきデータを含んだ外部大容量メモリ（１４）との接続を行い、
　前記電気機器をプログラミングするためのユーザ権限を伝送するコードカードの使用を前記マイクロプロセッサ（６）により検出し、
　それから前記挿入カードが挿入されたことが検出されると、前記マイクロプロセッサ（６）がプログラムを書き換えるためのロードルーチンを呼び出し、実行し、
　該ロードルーチンにより、該外部大容量メモリからのデータが前記挿入カードを介して前記電気機器（５）の前記プログラム可能メモリ（７）にロードされるように構成されている、
ことを特徴とする挿入カード。
　　【請求項７】　前記挿入カード（１１）はオプションとして、メモリ素子（２，６）、ＡＳＩＣ、マイクロプロセッサを有する、請求項６記載の挿入カード。」（以下、補正後の請求項」という。）
　
に補正された。
　
２．補正の適否
　補正後の請求項４に記載された発明は、補正後の請求項１を引用しており、これは補正前の請求項１を基にして補正前の請求項５に記載された事項と補正前の請求項４に記載された事項を含むものである。すなわち、補正後の請求項４において引用された補正後の請求項１に記載された「ａ）スマートカードに準拠する挿入カード（１１）を挿入する前に、コードカードの使用を前記マイクロプロセッサ（６）により検出し、
　該コードカードは、前記電気機器をプログラミングするためのユーザ権限を伝送し、」とする事項は補正前の請求項５に記載された事項に更に限定を加えるものである。
　そして、補正前の請求項５に記載された「挿入カード（１１）を挿入する前にコードカードの使用を検出し、それから挿入カードの挿入を検出」する事項は、ロードルーチンの実行を開始させる契機となるものである。また、補正前の請求項４に記載された「ユーザ入力の検出」もロードルーチンの実行を開始させる契機となるものであり、補正前の請求項４および５は補正前の請求項１を別個に引用するものである。すなわち、補正前の請求項４と５に記載された発明は、ロードルーチンの実行を開始させる契機として「コードカードの使用の検出」と「ユーザ入力の検出」を独立に用いるものである。これに対し、補正後の請求項４に記載された発明は、補正前の請求項５に記載された事項である「挿入カード（１１）を挿入する前にコードカードの使用を検出し、それから挿入カードの挿入を検出」をロードルーチンの実行を開始させる契機として用いていないから、補正前の各請求項に記載された発明を変更するものである。また、発明の詳細な説明をみても「コードカードの使用の検出」をロードルーチンの実行を開始させる契機とせず、「ユーザ入力の検出」をロードルーチンの実行を開始させる契機とする発明は記載されていないから、補正後の請求項４に記載された発明については、補正前の請求項３におけるロードルーチンの実行の形態について限定を加えたものとみることもできない。
　よって、補正後の請求項４に係る補正は、特許法第１７条の２第４項第２号の特許請求の範囲の減縮に該当しない。
　また、補正後の請求項４に係る補正が、特許法第１７条の２第４項第１号（請求項の削除）、第３号（誤記の訂正）、第４号（明りょうでない記載の釈明）に該当しないことは明かである。
　
３．むすび
　したがって、本件補正は、平成１４年法律第２４号改正附則第２条第１項によりなお従前の例によるとされる同法による改正前の特許法第１７条の２第４項の規定に違反するので、同法第１５９条第１項において読み替えて準用する同法第５３条第１項の規定により却下すべきものである
　
第３．補正却下を踏まえた検討
　
１．本願発明
　平成１９年１０月２日付けの手続補正は、上記のとおり却下されたので、本願の請求項４に係る発明（以下、「本願発明」という。）は、平成１９年４月１７日付け手続補正書で補正された明細書及び図面からみて、その請求項４に記載されたとおりのものであり、請求項４を独立形式に書き直すと次の通りのものとなる。
　
「ＣＰＵを搭載したＩＣカードであるスマートカード用の収容および読み出しユニット（９）と、プログラム可能メモリ（７）とを有する電気機器のプログラミング方法であって、
　前記メモリ（７）にはマイクロプロセッサ（６）により処理されるソフトウェアがファイルされている形式の方法において、
　ａ）スマートカードに準拠する挿入カード（１１）が、電気機器の収容および読み出しユニット（９）に挿入されたことがプロセッサにより検出され、
　ｂ）挿入カード（１１）と収容および読み出しユニット（９）との間の電気接続が、挿入カードの第１の接点を介して行われ、
　ｃ）挿入カード（１１）と外部大容量メモリとの間の接続が、挿入カードの別の接点（１２）を介して行われ、ここで外部大容量メモリは伝送すべきデータを含んでおり、
　ｄ）マイクロプロセッサ（６）がプログラムを書き換えるためのロードルーチンを呼び出し、これによりロードルーチンがマイクロプロセッサにより実行され、
　該ロードルーチンにより、該外部大容量メモリからのデータが挿入カードを介して機器（５）のプログラム可能メモリ（７）にロードされ、
　ロードルーチンの実行はユーザ入力の検出によって開始される、
ことを特徴とする電気機器のプログラミング方法。」
　
２．引用例
　原査定の拒絶の理由に引用された特開平４−２１３７１５号公報（以下、「引用文献１」という。）には、図面とともに以下の事項が記載されている。
　
 Ａ．「【００１８】
【実施例】以下、図面に示す実施例に基づき、本発明を詳細に説明する。以下では、従来例と同一ないし相当の部材には同一符号を付しその詳細な説明は省略する。
【００１９】本発明では、外部機器（フロッピーディスク、ハードディスク装置、半導体メモリなどの外部拡張記憶装置拡張ポート、他のコンピュータ、ワードプロセッサなどの機器、その他）を、ＩＣカードインターフェースを用いてデータ処理装置９０と接続する。
【００２０】図１に示すように、本発明を採用した電子機器では、ＩＣカード５０のかわりに疑似ＩＣカード１をＩＣカードスロットに差し込んで使用する。疑似ＩＣカード１は、疑似ＩＣカード部として構成され、データ処理装置９０のＣＰＵは、疑似ＩＣカード１に対して通常のＩＣカード５０と同じインターフェースに入出力を行なうことにより、外部機器１１に対する入出力が行なえる。
【００２１】疑似ＩＣカード１には、外部機器１１と入出力を行なうためのケーブル８を持ち、ケーブル８はコネクタ９、１０を介して外部機器１１と接続される。このような構成では、疑似ＩＣカード１および外部機器１１との間の入出力インターフェースは、データ処理装置９０側とは無関係にできるので、ＳＣＩＩインターフェースなど任意の手段により行なうことができる。
【００２２】以下では、外部機器１１はフロッピーディスク、ハードディスク装置、半導体メモリなどの外部拡張記憶装置などとし、ＩＣカードの容量を補い、データ処理装置９０からの見掛け上ＩＣカードの容量が大きくなったように扱う例を示す。
【００２３】図２においてデータ処理装置９０は、従来同様、表示部６８、電源部８４、キー入力部８６から構成されキー入力部の横にＩＣカードコネクタ６０を持つ。
【００２４】データ処理装置９０の内部回路は、従来例同様、データやユーティリティソフトを蓄えるＲＡＭ８２、実行の周期やオペレーション時間の計算に使用するタイマーＩＣ８１、キー入力部８６からのキー入力コードをＣＰＵ６５に読みやすい形に変換するキーコントローラ部８５、液晶やプラズマの表示部６８に表示できるようにＣＰＵ６５からの表示文字を変換するディスプレイコントロール部６６、必要に応じて表示部６８への表示文字を漢字に変換するために参照する漢字ＲＯＭ６９、外部との通信例えばＲＳ２３２Ｃ等の通信制御ＩＣのＩ／Ｏコントローラ７１、Ｉ／Ｏコントローラ７１からのＤＭＡ（ダイレクトメモリアクセス）を制御するＤＭＡコントローラ７０などで構成されている。
【００２５】従来例との違いは、疑似ＩＣカード１がＩＣカードのように、自己の内部メモリを利用するよう構成されておらず、外部機器１１との入出力を制御するための外部機器制御回路４、Ｉ／Ｏドライバ５、およびケーブル８とＩ／Ｏドライバ５を接続するためのモールド部材６、安全確保のための監視回路７を有する点である。」
　
Ｂ．「 【００２８】図３は、疑似ＩＣカード１をデータ処理装置９０と接続するための、疑似ＩＣカード１の接合部２の２列のピン配置を示した表図である。表の番号はピン番号、信号名は慣用的に用いられている符号により示されている。ちなみに、ＧＮＤは接地電位、Ｄ０〜Ｄｎはデータバスの各ビット、Ａ０〜Ａｎはアドレスバスの各ビット、ＣＳはチップイネーブル、ＮＣは無接続を示す。
【００２９】次に以上の構成における動作につき図４、図５を参照して説明する。図４はＣＰＵ６５によるデータ処理装置９０の制御手順を示している。
【００３０】図４のステップＳ１において電源が投入されると、ＣＰＵ６５はＲＯＭ８３に記憶されている本データ処理装置のオペレーティングシステムソフトウェアの実行を開始し、各内部ＩＣの機能チェックを開始する。
【００３１】次に、ステップＳ２において、ＩＣカードコネクタ部６０にＩＣカードが接続されているか（または疑似ＩＣカード）が接続されているか否かを自動判別するため、図５に示すようにＩＣカード５０ないし疑似ＩＣカード１の先頭アドレスに記憶されているディレクトリ管理データを読み込む。　」
　
Ｃ．「【００３７】上記ステップＳ２では、アドレス０のデバイス種別を表すデータを読み、そのデータの種別がＩＣカードを示している場合は、ステップＳ３ないしＳ５に移行し、通常通りのＲＯＭ８３に書き込まれているＩＣカードコントロールドライバソフトをＲＡＭ８２にロードし、ＣＰＵ６５はＲＡＭ８２のプログラムを順に実行し、ＩＣカードコネクタ部への信号の与え方を制御し、ＩＣカード５０をＲＯＭカードとして、あるいはＲＡＭカードとして扱う。この動作は従来と同じである。
【００３８】一方、ステップＳ２で読み取ったディレクトリ管理データが疑似ＩＣカードを示していた場合は、ステップＳ４に移行し、疑似ＩＣカードコントロール用のデバイスドライバプログラムをＲＯＭ８３からＲＡＭ８２にロードし、その後、ステップＳ６〜Ｓ８のオペレーティングシステムの走行において、ＣＰＵ６５はＲＡＭ８２内のプログラムを順に実行し、ＩＣカードコネクタ部６０への信号を外部接続機器の種類に合わせた制御信号の与え方をするように変更する。
【００３９】疑似ＩＣカード１側では、データ処理装置９０のＣＰＵ６５との間でＣＰＵバスを用いた並列転送による高速な通信を行ない、外部機器制御回路４はこれに基づいて必要なデータ変換やインターフェース変換を行ない、外部機器１１との入出力を行なう。　」
　
Ｄ．「【００４８】なお、以上の実施例では起動時に疑似ＩＣカード１およびＩＣカード５０の判定およびデバイスドライバの設定を行なっているが、疑似ＩＣカード１ないしＩＣカード５０の交換時にデバイスの判別およびデバイスドライバのロード等を動的に行なうようにしてもよい。」
　
（あ）上記Ａ及び図１、２の記載によれば、データ処理装置は内部にＣＰＵ、ＲＡＭを有し、更にＩＣカードコネクタを内部に有するＩＣカードスロットを有しており、ＩＣカードインターフェースを用いて疑似ＩＣカードを介して外部機器からデータをデータ処理装置のＲＡＭにロードしている。
（い）上記Ｃの記載によれば、ＲＯＭに書き込まれている疑似ＩＣカードコントロールドライバソフトをＲＡＭにロードし、ＣＰＵはこのプログラムを実行して、外部機器との入出力を行っており、入出力データはＲＡＭに格納されるのが一般的形態である。
（う）図２をみると、データ処理装置のＩＣカードコネクタと疑似ＩＣカードの接続は、疑似ＩＣカードの接続部を介して行われている。
（え）上記Ｂ，Ｄの記載によれば、疑似ＩＣカードの接続はデータ処理装置のＣＰＵによって判別されている。
（お）上記Ａ及び図２によれば、外部機器としてはハードディスク装置が例示され、また、外部機器（ハードディスク装置）と疑似ＩＣカードとの接続は、疑似ＩＣカードのモールドを介して行われている。
　
　以上の通りであるから、引用文献１には、次の発明（以下、「引用発明」という。）が記載されていると認められる。
　
　ＩＣカードコネクタを内部に有するＩＣカードスロットと、ＲＡＭを有するデータ処理装置にＩＣカードインターフェースを用いてデータをロードする方法であって、
　前記ＲＡＭには、ＲＯＭからＩＣカードコントロールドライバソフトをロードし、該ＩＣカードコントロールドライバソフトはＣＰＵによって実行されるものであり、
　疑似ＩＣカードとＩＣカードコネクタの接続は、疑似ＩＣカード接続部を介して行われ、
　ＣＰＵによってＩＣカードコネクタに疑似ＩＣカードが接続されているか否かを検出され、
　疑似ＩＣカードとハードディスク装置との間の接続が、疑似ＩＣカードのモールドを介して行われ、ここで前記ハードディスク装置は伝送すべきデータを含んでおり、
　ＣＰＵは疑似ＩＣカードコントロールドライバソフトを実行し、前記ハードディスク装置からのデータが疑似ＩＣカードを介してデータ処理装置のＲＡＭにロードされる方法
　
３．対比
　本願発明と引用発明とを対比すると、
　引用発明の「ＲＡＭ」「データ処理装置」「ＣＰＵ」「ＩＣカードコントロールドライバソフト」「疑似ＩＣカード」「疑似ＩＣカード接続部」「ハードディスク装置」「モールド」は、それぞれ、
本願発明の「プログラム可能メモリ」「電気機器」「マイクロプロセッサ又はプロセッサ」「ソフトウエア」「挿入カード」「第１の接点」「外部大容量メモリ」「別の接点」に相当する。
　本願発明は、電気機器のプログラミング方法とされているが、プログラム可能メモリへデータをロードすることをプログラミングと称しているのであるから、引用発明のデータをＲＡＭにロードする方法と実質的に同等のものである。
　本願発明の「ＣＰＵを搭載したＩＣカードであるスマートカード用の収容および読み出しユニット」と引用発明の「ＩＣカードコネクタを内部に有するＩＣカードスロット」とは、共にＩＣカード収納接続部である点で共通している。
　引用発明では、ＲＯＭからＩＣカードコントロールドライバソフトがＲＡＭにロードされ、ＣＰＵによって実行されているから、ＲＡＭにはＣＰＵにより処理されるソフトウエアがファイルされているのであり、本願発明の「前記メモリ（７）にはマイクロプロセッサ（６）により処理されるソフトウェアがファイルされている形式」であることとと実質的の同等である。
　引用発明の「ＩＣカードコントロールドライバソフト」と本願発明の「ロードルーチン」とは、その実行により外部大容量メモリからデータを挿入カードを介して機器のプログラム可能メモリにロードするものである点では共通しており、また、プログラムを実行するためには、そのプログラムを呼び出す必要があることは自明のものである。従って、本願発明の「マイクロプロセッサ（６）がプログラムを書き換えるためのロードルーチンを呼び出し、これによりロードルーチンがマイクロプロセッサにより実行され、
　該ロードルーチンにより、該外部大容量メモリからのデータが挿入カードを介して機器（５）のプログラム可能メモリ（７）にロードされる」ことと引用発明の「ＣＰＵは疑似ＩＣカードコントロールドライバソフトを実行し、前記ハードディスク装置からのデータが疑似ＩＣカードを介してデータ処理装置のＲＡＭにロードされる」こととは、プログラムを書き換えるためである点を除いて共通している。
　
  従って、本願発明と引用発明とは、次の点で一致し、
　
（一致点）
　ＩＣカード収納接続部と、プログラム可能メモリ（７）とを有する電気機器のプログラミング方法であって、
　前記メモリ（７）にはマイクロプロセッサ（６）により処理されるソフトウェアがファイルされている形式の方法において、
　ａ）スマートカードに準拠する挿入カード（１１）が、電気機器のＩＣカード収納接続部に挿入されたことがプロセッサにより検出され、
　ｂ）挿入カード（１１）とＩＣカード収納接続部との間の電気接続が、挿入カードの第１の接点を介して行われ、
　ｃ）前記挿入カード（１１）と外部大容量メモリとの間の接続が、前記挿入カードの別の接点（１２）を介して行われ、ここで外部大容量メモリは伝送すべきデータを含んでおり、
　ｄ）マイクロプロセッサ（６）がロードルーチンを呼び出し、これによりロードルーチンがマイクロプロセッサにより実行され、
　該ロードルーチンにより、該外部大容量メモリからのデータが挿入カードを介して機器（５）のプログラム可能メモリ（７）にロードされる、
ことを特徴とする電気機器のプログラミング方法
　
また、次の点で相違している。
　
（相違点１）
　ＩＣカード収納接続部が、本願発明ではＣＰＵを搭載したＩＣカードであるスマートカード用であるのに対し、引用発明ではＣＰＵを搭載したＩＣカード用であるかどうか不明である点
　
（相違点２）
　データをロードするロードルーチンが、本願発明ではプログラムを書き換えるためのものであるのに対し、引用発明ではプログラムの書き換えを行うかどうか不明である点
　
（相違点３）
　ロードルーチンの実行が、本願発明では、ユーザ入力の検出によって開始されるものであるのに対し、引用発明では何を契機に開始されるか不明である点
　
４．相違点についての判断
　
相違点１について
　長尾真，他７名編，「岩波 情報科学辞典」，株式会社岩波書店，１９９０年５月２５日，本文第３頁の「ＩＣカード」の項目に、「プラスチック製のカード内に集積回路（ＩＣ）を埋め込み，ＩＣメモリーにより記憶機能をもたせたカード状の情報記憶媒体．マイクロプロセッサーを内蔵し，情報処理機能を付加させたカードもある．」と記載されているように、ＩＣカードにおいては、マイクロプロセッサ、すなわち、ＣＰＵを内蔵した形態のカードも一般的であるから、ＩＣカード収納接続部をＣＰＵを搭載したＩＣカード用とすることは格別のことではない。
　
相違点２について
　特開平５−３２４３０５号公報には、マイクロコンピュータを内蔵した機器では、製造後に制御プログラムの変更を容易にするために、外部メモリから制御プログラムをロードし、ＥＰＲＯＭを書き換えるものが記載されている。従って、引用発明において、疑似ＩＣカードを介して転送されるデータをプログラムとし、転送されたプログラムによって書き換えを行うことは格別のことではない。
　
相違点３について
　特開平６−２１４７８０号公報には、カードに格納されたプログラムを装置本体のメモリに転送し、コピーするものにおいて、カードの挿入後、オペレータが所定のキー入力がなされるとプログラムを本体に取り込むようにしており（特に、図４の６０，６４とそれに関する説明を参照）、プログラムの転送を行うロードルーチンの実行をユーザ入力の検出を契機として行うようにすることは必要に応じて容易になし得ることである。
　　
　そして、本願発明の構成によってもたらされる効果も、引用発明から当業者ならば容易に予測することができる程度のものであって、格別のものとはいえない。 
 　 
５．むすび 
　以上のとおり、本願発明は、引用文献１に記載された発明及び周知技術に基づいて、当業者が容易に発明をすることができたものであるから、特許法第２９条第２項の規定により特許を受けることができない。 
　よって、結論のとおり審決する。